(57)【要約】【課題】  内部結露を発生させない外断熱用プレキャストコンクリート板およびその製造方法ならびに外断熱構造物の構築方法を提供することである。【解決手段】  外断熱用プレキャストコンクリート板１は、プレキャストコンクリート板２におけるトラス筋８の突設面と反対面に断熱材３を介して外装コンクリート板４が積層され、該外装コンクリート板４に外装板５が張り付けられてなる。【選択図】図１
2005213916.tif 000002
【特許請求の範囲】
【請求項１】
プレキャストコンクリート板におけるトラス筋の突設面と反対面に断熱材を介して外装コンクリート板が積層され、該外装コンクリート板に外装板が張り付けられてなることを特徴とする外断熱用プレキャストコンクリート板。
【請求項２】
外装コンクリート板はガラス繊維補強コンクリートであり、プレキャストコンクリート板にアンカーで接合されたことを特徴とする請求項１に記載の外断熱用プレキャストコンクリート板。
【請求項３】
プレキャストコンクリート板の外縁部に炭酸カルシウム発泡板の断熱材が設置され、これらの内側に発泡ポリスチレンの断熱材が設置されていることを特徴とする請求項１または２に記載の外断熱用プレキャストコンクリート板。
【請求項４】
プレキャストコンクリート板における対向辺の一辺側の外装板が断熱材端部より内側にずれて位置し、対向辺の他辺側の外装板が断熱材端部より外側にずれて位置していることを特徴とする請求項１〜３のいずれかに記載の外断熱用プレキャストコンクリート板。
【請求項５】
ベッドに形成されたプレキャストコンクリート板用型枠内に外装板を敷き並べて外装コンクリートを打設し、該外装コンクリート上に断熱材を設置するとともに、該断熱材からアンカーを未硬化の外装コンクリートに差し込んで、その上部を断熱材から突出させた後、該断熱材上に補強筋およびトラス筋を配筋してコンクリートを打設することを特徴とする外断熱用プレキャストコンクリート板の製造方法。
【請求項６】
プレキャストコンクリート板におけるトラス筋の突設面と反対面に断熱材を介して外装コンクリート板が積層され、該外装コンクリート板に外装板が張り付けられてなる外断熱用プレキャストコンクリート板を、鉄筋コンクリート構造物の開口部を除いた躯体外面に、トラス筋を躯体に埋設させて張り付けることを特徴とする外断熱構造物の構築方法。
【請求項７】
表面に外装板が張り付けられ、内面には断熱材と、該断熱材の上面から突出した複数のアンカーとが設けられてなる外装コンクリート板を、外側の型板にして躯体形成型枠を組立形成した後、該躯体形成型枠内にコンクリートを打設することを特徴とする外断熱構造物の構築方法。
【請求項８】
表面から多数のアンカーが突出した躯体に断熱材を、アンカーの上部が断熱材の表面から突出するように張り付けた後、該アンカーを支持材として断熱材の表面にコンクリートを塗りつけて外装コンクリート板を形成し、該外装コンクリート板の表面に外装板を張り付けることを特徴とする外断熱構造物の構築方法。
【発明の詳細な説明】
【技術分野】
【０００１】
本発明は外断熱用プレキャストコンクリート板およびその製造方法ならびに外断熱構造物の構築方法に関するものである。
【背景技術】
【０００２】
近年、冬季における結露や壁内部の結露の防止、および建物の寿命を延ばすために外断熱工法が注目されている。これは断熱材を躯体外面に張り付けて建物全体を覆うもので、例えば特開２００３−２９３４７０号公報の発明がある。
【特許文献１】特開２００３−２９３４７０号公報
【発明の開示】
【発明が解決しようとする課題】
【０００３】
しかし、上記の発明における外断熱用プレキャストコンクリート板はトラス筋が突設されたコンクリート面に断熱材が設けられているため、この断熱材がトラス筋の部分で欠損するという問題があった。これはトラス筋の部分には断熱材が配置できないため、依然として内部結露が発生してしまうという問題であった。
【０００４】
本発明は上記のような問題に鑑みてなされたものであり、その目的は、内部結露を発生させない外断熱用プレキャストコンクリート板およびその製造方法ならびに外断熱構造物の構築方法を提供することである。
【課題を解決するための手段】
【０００５】
課題を解決するための手段である本発明の外断熱用プレキャストコンクリート板は、プレキャストコンクリート板におけるトラス筋の突設面と反対面に断熱材を介して外装コンクリート板が積層され、該外装コンクリート板に外装板が張り付けられてなることを特徴とする。また外装コンクリート板はガラス繊維補強コンクリートであり、プレキャストコンクリート板にアンカーで接合されたことを含む。またプレキャストコンクリート板の外縁部に炭酸カルシウム発泡板の断熱材が設置され、これらの内側に発泡ポリスチレンの断熱材が設けられていることを含む。またプレキャストコンクリート板における対向辺の一辺側の外装板が断熱材端部より内側にずれて位置し、対向辺の他辺側の外装板が断熱材端部より外側にずれて位置していることを含むものである。
また外断熱用プレキャストコンクリート板の製造方法は、ベッドに形成されたプレキャストコンクリート板用型枠内に外装板を敷き並べて外装コンクリートを打設し、該外装コンクリート上に断熱材を設置するとともに、該断熱材からアンカーを未硬化の外装コンクリートに差し込んで、その上部を断熱材から突出させた後、該断熱材上に補強筋およびトラス筋を配筋してコンクリートを打設することを特徴とする。
また外断熱構造物の構築方法は、プレキャストコンクリート板におけるトラス筋の突設面と反対面に断熱材を介して外装コンクリート板が積層され、該外装コンクリート板に外装板が張り付けられてなる外断熱用プレキャストコンクリート板を、鉄筋コンクリート構造物の開口部を除いた躯体外面に、トラス筋を躯体に埋設させて張り付けることを特徴とする。
また外断熱構造物の構築方法は、表面に外装板が張り付けられ、内面には断熱材と、該断熱材の上面から突出した複数のアンカーとが設けられてなる外装コンクリート板を、外側の型板にして躯体形成型枠を組立形成した後、該躯体形成型枠内にコンクリートを打設することを特徴とする。
また外断熱構造物の構築方法は、表面から多数のアンカーが突出した躯体に断熱材を、アンカーの上部が断熱材の表面から突出するように張り付けた後、該アンカーを支持材として断熱材の表面にコンクリートを塗りつけて外装コンクリート板を形成し、該外装コンクリート板の表面に外装板を張り付けることを特徴とする。
【発明の効果】
【０００６】
トラス筋の突設面と反対面に断熱材が設けられたので、トラス筋が配筋された箇所における断熱材の欠損がなく、内部結露の発生が防げる。またプレキャストコンクリート板における対向辺の一辺側の外装板が断熱材端部より内側にずれて位置し、対向辺の他辺側の外装板が断熱材端部より外側にずれて位置していることにより、外断熱用プレキャストコンクリート板同士の接合部が前後に重なり合って接合される。またプレキャストコンクリート板の外縁部が炭酸カルシウム発泡板の断熱材で囲まれ、これらで囲まれた内側が発泡ポリスチレン製の断熱材であることにより、該発泡ポリスチレン製の断熱材火災時においても燃えにくくなり、落下する心配もない。またアンカーを未硬化の外装コンクリートに差し込んでプレキャストコンクリート板と一体にするため、外断熱用プレキャストコンクリート板が簡単に製造できる。また外断熱用プレキャストコンクリート板をトラス筋でコンクリート躯体の表面に張り付けることができる。またアンカーを未硬化のコンクリートに差し込んで、断熱材と一体になった外装コンクリート板を躯体に張り付けることができるので、アンカーを小径にして、極めて熱橋になりにくくすることができる。また躯体から突出したアンカーで外装コンクリート板を支持することができるので、この外装コンクリート板の脱落を防ぐことができる。
【発明を実施するための最良の形態】
【０００７】
以下、本発明の外断熱用プレキャストコンクリート板（以下、外断熱用ＰＣ板という）およびその製造方法ならびに外断熱構造物の構築方法の実施の形態について説明する。はじめに、外断熱用ＰＣ板について説明し、その後、この外断熱用ＰＣ板の製造方法について説明する。そして、最後に外断熱構造物の構築方法について説明する。また各実施の形態において、同じ構成は同じ符号を付して説明し、異なった構成は異なった符号を付して説明する。
【０００８】
図１〜３は、第１の実施の形態の外断熱用ＰＣ板１を示したものである。この外断熱用ＰＣ板１は、プレキャストコンクリート板（以下ＰＣ板という）２と、該ＰＣ板２の表面に設けた断熱材３と、該断熱材３の表面に形成された外装コンクリート板４と、該外装コンクリート板４の外面に張り付けられた外装板５とから構成され、外装コンクリート板４とＰＣ板２とがアンカー６で一体になっている。
【０００９】
ＰＣ板２におけるコンクリート板７の裏面には、上部を突出させた状態で複数のトラス筋８が長辺方向に沿って配筋されている。このトラス筋８は、一本の上端筋９と二本の下端筋１０とが、波形のラチス筋１１で連結された三角柱状のものであり、下端筋１０は補強筋１２に接合されている。このトラス筋８は、熱貫流率の低い材料、例えばステンレスなどで形成され、かつ防錆処理が施されたものである。なお、トラス筋８は上記のものに限定されず、いわゆるシングルトラスであってもよい。
【００１０】
またＰＣ板２の表面側の外縁部には、炭酸カルシウム発泡板の断熱材３ａが設けられ、この内側には発泡ポリスチレン製の断熱材３ｂが設けられている。これらの断熱材３ａ、３ｂの外側にはアンカー６でＰＣ板２に接合されたガラス繊維補強コンクリートからなる外装コンクリート板４が設けられ、これにタイルなどの外装板５が張り付けられている。このように外装板５とＰＣ板２とがアンカー６で一体接合され、その間に断熱材３が挟み込まれているため、断熱効果がより一層高められる。
【００１１】
なお、アンカー６は、アンカー釘や鉄筋、硬質プラスチック材、その他のものであってもよい。
【００１２】
図４〜６は、第２の実施の形態の外断熱用ＰＣ板１３を示したものである。この外断熱用ＰＣ板１３は、ＰＣ板２における対向辺の一辺側の外装板５が断熱材３端部より内側にずれて位置し、対向辺の他辺側の外装板５が断熱材３端部より外側にずれて位置したものであり、これ以外は上記の外断熱用ＰＣ板１と同じ構成である。これは外装板５が二辺方向にずれたものであり、外断熱用ＰＣ板１３同士の接合部を前後に重ね合わせて接合することができる。
【００１３】
また図７は、第１の実施の形態の外断熱用ＰＣ板の製造方法を示したものである。これは、はじめにベッド１４上のＰＣ板形成用型枠１５内にタイルなどの外装板５を敷き詰め、この上からガラス繊維補強コンクリート１６を打設して、外装コンクリート板４を形成する。
【００１４】
次に、この外装コンクリート板４の上に炭酸カルシウム発泡板の断熱材３ａと、発泡ポリスチレン製の断熱材３ｂとを設け、これらの断熱材３ａ、３ｂの上からアンカー６を未硬化のガラス繊維補強コンクリート１６に差し込んで、その上部を断熱材３の上面から突出させる。
【００１５】
次に、断熱材３の上に、補強筋１２とトラス筋８とを配筋して、コンクリート１７を打設すると、該コンクリート１７の上面からトラス筋８の上部が突出したＰＣ板２が形成され、該ＰＣ板２と外装コンクリート板４とがアンカー６で一体になり、これらの間に断熱材３が挟まれた外断熱用ＰＣ板１が形成される。
【００１６】
図８は、上記の外断熱用ＰＣ板１を使用した、第１の実施の形態の外断熱構造物の構築方法を示すものである。これは、まず外断熱用ＰＣ板１を外側の型板１９として組み立てるとともに、トラス筋８が突設した外断熱用ＰＣ板１の裏側に鉄筋２４を配筋する。そして、この鉄筋２４を覆うようにして、内側の型板２０を組み立てて、躯体形成型枠１８を形成する。次に、この躯体形成型枠１８内にコンクリート２１を打設し、このコンクリート２１が硬化した後に躯体形成型枠１８を解体すると、開口部を除いた外面が断熱材で覆われた外断熱構造物２５が構築される。
【００１７】
また図９は、第２の実施の形態の外断熱構造物の構築方法を示すものである。これは、まず外装コンクリート板４を外側の型板１９として組み立てる。この外装コンクリート板４の内面には断熱材３と、該断熱材３の上面から突出した複数のアンカー６とが設けられている。次に、外装コンクリート板４の裏側に鉄筋２４を配筋する。そして、この鉄筋２４を覆うようにして、内側の型板２０を組み立てて、躯体形成型枠１８を形成する。次に、この躯体形成型枠１８内にコンクリート２１を打設し、このコンクリート２１が硬化した後に、躯体形成型枠１８を解体すると、開口部を除いた外面が断熱材３で覆われた外断熱構造物２６が構築される。このように硬化前のコンクリート２１にアンカー６を設置することができるので、硬化後のコンクリートにアンカーを設置する場合よりも細い径のアンカーが使用でき、極めて熱橋になりにくくなる。
【００１８】
また図１０は、第３の実施の形態の外断熱構造物の構築方法を示すものである。これは、現場において外装コンクリート板４を形成するものである。はじめに、（１）に示すように、外面から多数のアンカー６が突出した躯体２２を構築する。次に、この躯体２２に断熱材３を、アンカー６を支持材として張り付け、該アンカー６の上部を断熱材３の表面から突出させる。次に、（２）に示すように、アンカー６が突出した断熱材３の表面にメッシュ筋とガラス繊維補強コンクリート１６を塗り付け、このコンクリート１６が硬化する前に、外装板５を張り付けて、アンカー６を支持材として外装コンクリート板４を形成すると、開口部を除いた外面が断熱材３で覆われた外断熱構造物２７が構築される。このように外装コンクリート板４がアンカー６で支持されるので、その脱落を防ぐことができる。
【００１９】
なお、上記躯体２２は鉄骨、鉄筋コンクリートの他、木造であってもよく、木造の建物の外断熱も簡単に構築することができる。
【図面の簡単な説明】
【００２０】
【図１】第１の実施の形態の外断熱用ＰＣ板の横方向の断面図である。
【図２】第１の実施の形態の外断熱用ＰＣ板の縦方向の断面図である。
【図３】第１の実施の形態の外断熱用ＰＣ板の背面図である。
【図４】第２の実施の形態の外断熱用ＰＣ板の横方向の断面図である。
【図５】第２の実施の形態の外断熱用ＰＣ板の縦方向の断面図である。
【図６】第２の実施の形態の外断熱用ＰＣ板の背面図である。
【図７】第１の実施の形態の外断熱用ＰＣ板の製造方法を示す断面図である。
【図８】第１の実施の形態の外断熱構造物の構築方法の断面図である。
【図９】第２の実施の形態の外断熱構造物の構築方法の断面図である。
【図１０】（１）および（２）は、第３の実施の形態の外断熱構造物の構築方法の断面図である。
【符号の説明】
【００２１】
１、１３  外断熱用ＰＣ板
２  ＰＣ板
３  断熱材
４  外装コンクリート板
５  外装板
６  アンカー
７  コンクリート板
８  トラス筋
９  上端筋
１０  下端筋
１１  ラチス筋
１２  補強筋
１４  ベッド
１５  ＰＣ板形成用型枠
１６  ガラス繊維補強コンクリート
１７  コンクリート
１８  躯体形成型枠
、１９、２０  型板
２１  コンクリート
２２  躯体
２３  メッシュ筋
２４  鉄筋
２５、２６、２７  外断熱構造物
【図１】
2005213916.tif 000003
【図２】
2005213916.tif 000004
【図３】
2005213916.tif 000005
【図４】
2005213916.tif 000006
【図５】
2005213916.tif 000007
【図６】
2005213916.tif 000008
【図７】
2005213916.tif 000009
【図８】
2005213916.tif 000010
【図９】
2005213916.tif 000011
【図１０】
2005213916.tif 000012